(57)【特許請求の範囲】
【請求項１】
放送波を受信し、受信した放送波から楽曲コンテンツを抽出して記録媒体に記録する機能を備えた楽曲記録装置において、
受信した放送波から楽曲コンテンツを抽出して第１楽曲コンテンツとして一時的記憶手段に記憶させるとともに前記第１楽曲コンテンツのコンテンツ識別用データを第１コンテンツ識別用データとして生成する生成手段、
前記記録媒体に記録させたい楽曲である記録対象楽曲のコンテンツ識別用データを第２コンテンツ識別用データとして記憶させておく記憶手段、
前記第１コンテンツ識別用データと前記第２コンテンツ識別用データとに基づいて、前記第１楽曲コンテンツが前記記録対象楽曲に対応するコンテンツであるか否かを判別する判別手段、ならびに
前記第１楽曲コンテンツが前記記録対象楽曲に対応するコンテンツであると判別した場合には、前記一時的記憶手段に記憶されている前記第１楽曲コンテンツを前記記録媒体に記録させる記録手段、
を備え、
楽曲のコンテンツ識別用データは、音声パワーの変化量が所定の閾値以上となる点を変化点とすると、当該楽曲の音声信号から検出された複数の変化点の位置情報からなり、
前記判別手段は、前記第１コンテンツ識別用データ及び前記第２コンテンツ識別用データそれぞれに含まれる複数の変化点のうち、前記第１コンテンツ識別用データと前記第２コンテンツ識別用データとの間で互いに対応する最初の変化点をそれぞれ第１変化点及び第２変化点として検出し、前記第１コンテンツ識別用データに含まれる前記第１変化点以降の各変化点について、隣接する変化点間の距離を算出すると共に、前記第２コンテンツ識別用データに含まれる前記第２変化点以降の各変化点について、隣接する変化点間の距離を算出し、前記第１コンテンツ識別用データと前記第２コンテンツ識別用データとの間で互いに対応する変化点間距離の差が所定値より小さい場合にのみ前記第１楽曲コンテンツが前記記録対象楽曲に対応するコンテンツであると判断することを特徴とする楽曲記録装置。
【発明の詳細な説明】
【技術分野】
【０００１】
この発明は、ラジオ放送、テレビ放送等の放送波を受信し、受信した放送波から楽曲コンテンツを抽出して記録する機能を備えた楽曲記録装置に関する。
【背景技術】
【０００２】
ラジオ放送またはテレビ放送を受信し、受信した放送波から楽曲コンテンツを抽出して記録する機能および記録した楽曲データを再生する機能を備えた楽曲記録再生装置が知られている。
【０００３】
このような楽曲記録再生装置において、ユーザが記録したい楽曲コンテンツのみ抽出して記録しようとすると、楽曲コンテンツのみを自動的に抽出して記録する機能を停止させ、ユーザが放送内容を常時監視して、ユーザが記録したい楽曲が放送される場合にユーザが記録操作を行なわなければならず、楽曲コンテンツのみを自動的に抽出して記録する機能を有効に利用できないという問題がある。
【０００４】
また、記録された多数の楽曲コンテンツから、ユーザが消去したい楽曲コンテンツを削除させる場合、各楽曲コンテンツの一部を再生して、削除したい楽曲であるか否かをユーザが確認していく必要があるため、その確認作業が面倒であるとともに時間がかかるという問題がある。
【０００５】
さらに、このような楽曲記録再生装置では、楽曲コンテンツを抽出して記録することができるが、記録した楽曲コンテンツの楽曲名、歌手名等のメタ情報（属性情報）を認識することができないので、記録した楽曲コンテンツのインデックス情報に含めることができず、記録されている楽曲の管理や整理が困難であるという問題がある。
【特許文献１】特開２００７−９６７６１号公報
【発明の開示】
【発明が解決しようとする課題】
【０００６】
この発明は、ユーザが記録したい楽曲のコンテンツのみを自動的に抽出して記録させることができる楽曲記録装置を提供することを目的とする。
【０００７】
また、この発明は、記録されている複数の楽曲コンテンツから、ユーザが削除したい楽曲のコンテンツを自動的に選択して消去させることができる楽曲記録装置を提供することを目的とする。
【０００８】
また、この発明は、記録した楽曲コンテンツの楽曲名、歌手名等のメタ情報を、当該楽曲コンテンツのインデックス情報に含めることが可能となる楽曲記録装置を提供することを目的とする。
【課題を解決するための手段】
【０００９】
本願の第１の発明は、放送波を受信し、受信した放送波から楽曲コンテンツを抽出して記録媒体に記録する機能を備えた楽曲記録装置において、受信した放送波から楽曲コンテンツを抽出して第１楽曲コンテンツとして一時的記憶手段に記憶させるとともに前記第１楽曲コンテンツのコンテンツ識別用データを第１コンテンツ識別用データとして生成する生成手段、前記記録媒体に記録させたい楽曲である記録対象楽曲のコンテンツ識別用データを第２コンテンツ識別用データとして記憶させておく記憶手段、前記第１コンテンツ識別用データと前記第２コンテンツ識別用データとに基づいて、前記第１楽曲コンテンツが前記記録対象楽曲に対応するコンテンツであるか否かを判別する判別手段、ならびに前記第１楽曲コンテンツが前記記録対象楽曲に対応するコンテンツであると判別した場合には、前記一時的記憶手段に記憶されている前記第１楽曲コンテンツを前記記録媒体に記録させる記録手段、を備え、楽曲のコンテンツ識別用データは、音声パワーの変化量が所定の閾値以上となる点を変化点とすると、当該楽曲の音声信号から検出された複数の変化点の位置情報からなり、前記判別手段は、前記第１コンテンツ識別用データ及び前記第２コンテンツ識別用データそれぞれに含まれる複数の変化点のうち、前記第１コンテンツ識別用データと前記第２コンテンツ識別用データとの間で互いに対応する最初の変化点をそれぞれ第１変化点及び第２変化点として検出し、前記第１コンテンツ識別用データに含まれる前記第１変化点以降の各変化点について、隣接する変化点間の距離を算出すると共に、前記第２コンテンツ識別用データに含まれる前記第２変化点以降の各変化点について、隣接する変化点間の距離を算出し、前記第１コンテンツ識別用データと前記第２コンテンツ識別用データとの間で互いに対応する変化点間距離の差が所定値より小さい場合にのみ前記第１楽曲コンテンツが前記記録対象楽曲に対応するコンテンツであると判断することを特徴とする。
【００１０】
本願の第２の発明は、放送波を受信し、受信した放送波から楽曲コンテンツを抽出して記録媒体に記録するとともに当該楽曲コンテンツのコンテンツ識別情報を生成して記録媒体に記録する機能を備えた楽曲記録装置において、記録媒体から消去させたい一または複数の楽曲のコンテンツ識別用データを、消去対象楽曲のコンテンツ識別用データとして記憶させておく手段、自動消去指令が入力された場合には、記録媒体に記録されている各楽曲コンテンツのコンテンツ識別情報と消去対象楽曲のコンテンツ識別用データとに基づいて、記録媒体に記録されている各楽曲コンテンツ毎に、その楽曲コンテンツが消去対象楽曲に対応するコンテンツであるか否かを判別する手段、ならびに記録媒体に記録されている楽曲コンテンツのうち、消去対象楽曲に対応するコンテンツであると判別された楽曲コンテンツについては、その楽曲コンテンツおよびそのコンテンツ識別情報を記録媒体から消去させる手段を備えていることを特徴とする。
【００１１】
本願の第３の発明は、複数の楽曲に対するコンテンツ識別情報およびメタ情報を記憶した楽曲情報データベースを有する楽曲情報提供サーバにネットワークを介して接続された楽曲記録装置において、受信した放送波から楽曲コンテンツを抽出して記録媒体に記憶させるとともに当該楽曲コンテンツのコンテンツ識別用データを生成する手段、当該楽曲コンテンツの記録媒体への記憶が終了したときに、当該楽曲コンテンツのコンテンツ識別用データと楽曲情報提供サーバ内の楽曲情報データベースに蓄積されている複数の楽曲のコンテンツ識別情報とに基づいて、楽曲情報提供サーバ内の楽曲情報データベースから当該楽曲コンテンツに対応する楽曲のメタ情報を取得する手段、ならびに取得したメタ情報を、当該楽曲コンテンツのインデックス情報の少なくとも一部として記録媒体に記録させる手段を備えていることを特徴とする。
【００１２】
メタ情報とは、例えば、楽曲名、歌手名、ジャンルのうちから選択された１つまたは任意の組合せをいう。
【００１３】
本願の第４の発明は、複数の楽曲に対するコンテンツ識別情報およびメタ情報を記憶した楽曲情報記憶手段、受信した放送波から楽曲コンテンツを抽出して記録媒体に記憶させるとともに当該楽曲コンテンツのコンテンツ識別用データを生成する手段、当該楽曲コンテンツの記録媒体への記憶が終了したときに、当該楽曲コンテンツのコンテンツ識別用データと楽曲情報記憶手段に蓄積されている複数の楽曲のコンテンツ識別情報とに基づいて、楽曲情報記憶手段から当該楽曲コンテンツに対応する楽曲のメタ情報を検索して取得する手段、ならびに取得したメタ情報を、当該楽曲コンテンツのインデックス情報の少なくとも一部として記録媒体に記録させる手段を備えていることを特徴とする。
【００１５】
本願の第５の発明は、本願の第１乃至４の発明に係る楽曲記録装置において、楽曲のコンテンツ識別情報は、音声パワーの変化量が所定の閾値以上となる点を変化点とすると、当該楽曲の音声信号から検出された各変化点の位置情報と、これらの変化点の総数の情報からなることを特徴とする。
【発明の効果】
【００１６】
この発明によれば、ユーザが記録したい楽曲のコンテンツのみを自動的に抽出して記録させることができるようになる。
【００１７】
また、この発明によれば、記録されている複数の楽曲コンテンツから、ユーザが削除したい楽曲のコンテンツを自動的に選択して消去させることができるようになる。
【００１８】
また、この発明によれば、記録した楽曲コンテンツの楽曲名、歌手名等のメタ情報を、当該楽曲コンテンツのインデックス情報に含めることが可能となる。
【発明を実施するための最良の形態】
【００１９】
以下、図面を参照して、この発明の実施例について説明する。
【実施例１】
【００２０】
〔１〕楽曲記録再生装置の構成
【００２１】
図１は、楽曲記録再生装置の構成を示している。
【００２２】
楽曲記録再生装置は、アンテナ１、ＦＭチューナ部２、Ａ／Ｄ変換部３、ＤＳＰ４、記録媒体５、Ｄ／Ａ変換部６、スピーカ７、ネットワークＩ／Ｆ８、メモリ９、ＣＰＵ１０、操作部１１、モニタ１２等を備えている。記録媒体５としては、例えば、ハードディスク装置（ＨＤＤ）が用いられる。
【００２３】
ＣＰＵ１０は、ネットワークＩ／Ｆ８およびネットワークを介して、楽曲情報提供サーバ２０に接続されている。ＣＰＵ１０は、楽曲情報提供サーバ２０からＷｅｂページを取得してモニタ１２に表示させるブラウザ機能を備えている。楽曲情報提供サーバ２０は、楽曲情報データべース２０ａを備えている。図２は、楽曲情報データべース２０ａの内容の一部を示している。楽曲情報データべース２０ａには、楽曲の番号毎に、その楽曲のコンテンツ識別用データと、楽曲名（タイトル）、歌手名（アーティスト）、ジャンル等のメタ情報（属性情報）とが記憶されている。ジャンルには、ポップス、ロック、演歌、クラッシック等の種類がある。楽曲のコンテンツ識別用データは、この実施例では、当該楽曲コンテンツの音声信号から検出された複数の変化点の位置情報（変化点位置情報）とそれらの変化点の総数の情報（変化点数情報）とからなる。なお、変化点とは、楽曲コンテンツを形成している音声信号のうち、音声パワーの変化量が所定の閾値より大きい箇所をいう。なお、楽曲のコンテンツ識別用データを、変化点位置情報と変化点数情報の両方から構成してもよいし、変化点位置情報のみから構成してもよい。
【００２４】
ＦＭチューナ部２は、アンテナ１を介して入力したＦＭ放送波からユーザによって選択された所定の周波数の放送波を選局し、選局した放送波を復調してアナログ音声信号を出力する。Ａ／Ｄ変換部３は、ＦＭチューナ部２で得られたアナログ音声信号をデジタル音声信号に変換する。ＤＳＰ４は、楽曲を抽出するために、入力されるデジタル音声信号から音声パワーの変化量、周波数領域における特徴量を抽出する機能と、楽曲に対応するデジタル音声信号をＭＰ３圧縮データにエンコードする機能と、記録媒体５から読み出されたＭＰ３圧縮データをデジタル音声信号にデコードする機能とを備えている。
【００２５】
記録媒体５は、ＤＳＰ４のエンコード機能によって得られたＭＰ３圧縮データを記録する。Ｄ／Ａ変換部６は、ＤＳＰ４のデコード機能によって得られたデジタル音声信号をアナログ音声信号に変換する。スピーカ７は、Ｄ／Ａ変換部６によって得られたアナログ音声信号を出力する。
【００２６】
ＣＰＵ１０は、楽曲記録再生装置の各部を制御する。メモリ９は、ＣＰＵ１０のワークメモリとして動作する。なお、ＣＰＵ１０のプログラム等のデータは図示しないＲＯＭに格納されている。
【００２７】
この実施例では、動作モードとして、楽曲記録モード、楽曲再生モードおよび楽曲自動消去モードがある。楽曲記録モードには、受信した音声信号から楽曲部分のみを抽出して記録する第１の楽曲記録モードと、受信した音声信号からユーザが記録したい楽曲のみを抽出して記録する第２の楽曲記録モードとがある。
【００２８】
以下、第１の楽曲記録モード時において行なわれる第１楽曲記録処理、第２の楽曲記録モード時において行なわれる第２楽曲記録処理、楽曲再生モードにおいて行なわれる楽曲再生処理および楽曲自動消去モード時において行なわれる楽曲自動消去処理について説明する。
【００２９】
〔２〕第１楽曲記録処理
【００３０】
第１楽曲記録処理においては、受信した音声信号から楽曲部分のみを抽出して記録する。
【００３１】
〔２−１〕楽曲部分の抽出方法
【００３２】
第１の楽曲記録モード時においては、Ａ／Ｄ変換部３から入力されたデジタル音声信号はＤＳＰ４に入力されるとともに、ＤＳＰ４およびＣＰＵ１０を介してメモリ９にも送られる。ＤＳＰ４はＤＳＰ４に入力されたデジタル音声信号から音声パワーの変化量や、周波数領域における特徴量を抽出する。ＣＰＵ１０は、新しいものから過去所定時間分のデジタル音声信号をメモリ９の所定の領域（以下、音声信号一時記憶領域という）に保持させる。この所定時間は、後述するＴ１秒より大きな時間に設定されている。
【００３３】
第１楽曲記録処理では、受信した音声信号のうち、楽曲部分のみを抽出して記録する。楽曲部分の抽出方法について説明する。まず、ＣＰＵ１０は、音声パワーの変化量が所定の閾値以上となるタイミングを変化点として検出する。音声パワーとしては、たとえば、音声信号の振幅を二乗したものが用いられる。なお、ＣＰＵ１０は、変化点を検出する毎に、その検出時刻（絶対時刻）をメモリ９内の所定の領域（以下、変化点情報一時記憶領域という）に記憶する。ＣＰＵ１０は、メモリ９内の変化点情報一時記憶領域に記憶した変化点の検出時刻情報の数が所定数に達した後においては、最も古いデータを削除してから、新しいデータを格納する。この所定数は、楽曲１曲分に対して検出され得る変化点の数より大きな数に設定されている。
【００３４】
ＣＰＵ１０は、変化点を検出すると、変化点近傍の音声信号の周波数領域における特徴量に基づいて、変化点近傍が楽曲であるかラジオ番組の司会者（ディスクジョッキー）による会話部分（トーク部分）であるかを判別する。周波数領域における特徴量としては、たとえば、メルケプストラム( ＭＦＣＣ：Mel Frequency Cepstral Coefficients)が用いられる。より具体的には、検出されたＭＦＣＣと予め作成されている楽曲に対する基準データ（ＭＦＣＣ）との間の尤度を算出し、尤度が所定の閾値より大きい場合に変化点近傍が楽曲であると判別する。あるいは、変化点近傍のＭＦＣＣを予め作成した評価関数に代入することにより評価値を算出し、得られた評価値に基づいて変化点近傍が楽曲であるか会話部分であるかを判別するようにしてもよい。
【００３５】
変化点近傍が楽曲であるとの判定が、所定時間（Ｔ１秒）より長い時間、継続した場合には、Ｔ１秒前の時点から楽曲区間が開始されたと判別し、Ｔ１秒前の位置から音声信号の記録を開始させる。この後において、変化点近傍が楽曲でないと判定されたときには、音声信号の記録位置はＴ１秒分遅れているので、その時点からＴ１秒経過したときに、音声信号の記録を停止させる。Ｔ１は、例えば、３０〜１２０秒の範囲内の値に設定される。
【００３６】
〔２−２〕第１楽曲記録処理手順
【００３７】
図３は、第１楽曲記録処理手順を示している。
【００３８】
ＦＭチューナ１を起動させる（ステップＳ１）。そして、ＤＳＰ４による特徴抽出処理を起動させるとともに、デジタル音声信号のメモリ９内の音声信号一時記憶領域への記憶を開始させる（ステップＳ２）。なお、デジタル音声信号のメモリ９内の音声信号一時記憶領域への記憶が開始された後において、予め定められた所定時間分のデジタル音声信号がメモリ９内の音声信号一時記憶領域に記憶された場合には、それ以後は、最も古いデジタル音声信号が削除されて、最新のデジタル音声信号がメモリ９に記録される。
【００３９】
ＤＳＰ４は、ＤＳＰ４に入力されるデジタル音声信号から音声パワーの変化量、周波数領域における特徴量を算出して、ＣＰＵ１０に与える。音声パワーとしては、たとえば、音声信号の振幅を二乗したものが用いられる。周波数領域における特徴量としては、たとえば、メルケプストラム( ＭＦＣＣ：Mel Frequency Cepstral Coefficients)が用いられる。
【００４０】
ＣＰＵ１０は、音声パワーの変化量に基づいて変化点であるか否かの判別を行なう（ステップＳ３）。変化点でなければ、ステップＳ３に戻る。変化点であると判別した場合、つまり、音声パワーの変化量が所定の閾値より大きい場合には（ステップＳ３でＹＥＳ）、メモリ９内の変化点情報一時記憶領域に当該変化点の検出時刻（絶対時刻）を記憶する（ステップＳ４）。なお、予め定められた所定数分の変化点の検出時刻情報がメモリ９内の変化点情報一時記憶領域に記憶されている場合には、最も古い変化点の検出時刻情報が削除されて、最新の変化点の検出時刻情報がメモリ９に記録される。後述するステップＳ９、Ｓ１４において、変化点の検出時刻（絶対時刻）をメモリ９内の変化点情報一時記憶領域に記憶する場合も同様である。次に、今回検出された変化点近傍の音声信号の周波数領域における特徴量（この例ではＭＦＣＣ）に基づいて、当該変化点近傍が楽曲であるか否かを判別する（ステップＳ５）。変化点近傍が楽曲でなければ、ステップＳ３に戻る。      
【００４１】
上記ステップＳ５において、変化点近傍が楽曲であると判別した場合には、第１タイマによる計時を開始させる（ステップＳ６）。そして、第１タイマによる計時時間（Timer1) がＴ１秒を超えたか否かを判別する（ステップＳ７）。第１タイマによる計時時間（Timer1) がＴ１秒以下である場合には、音声パワーの変化量に基づいて変化点であるか否かの判別を行なう（ステップＳ８）。変化点でなければ、ステップＳ７に戻る。
【００４２】
上記ステップＳ８で変化点であると判別した場合は、メモリ９内の変化点情報一時記憶領域に当該変化点の検出時刻（絶対時刻）を記憶する（ステップＳ９）。次に、今回検出された変化点近傍の音声信号の周波数領域における特徴量（この例ではＭＦＣＣ）に基づいて、変化点近傍が楽曲であるか否かを判別する（ステップＳ１０）。変化点近傍が楽曲であると判別した場合には、ステップＳ７に戻る。
【００４３】
上記ステップＳ１０において、変化点近傍が楽曲でないと判別した場合には、ステップＳ６に戻り、第１タイマによる計時を開始させる。この場合には、第１タイマによる計時が再スタートされることになる。
【００４４】
上記ステップＳ７において、第１タイマによる計時時間（Timer1) がＴ１秒を超えたと判別した場合には、Ｔ１秒前から楽曲が開始されていると判断し、現在時刻からＴ１秒前の時刻を楽曲開始時刻Ｔｓとして記憶するとともに（ステップＳ１１）、Ｔ１秒前の位置から音声信号のエンコードおよび記録媒体５への保存を開始させる（ステップＳ１２）。      
【００４５】
次に、音声パワーの変化量に基づいて変化点であるか否かの判別を行なう（ステップＳ１３）。変化点でなければ、ステップＳ１３に戻る。変化点であると判別した場合、つまり、音声パワーの変化量が所定の閾値より大きい場合には（ステップＳ１３でＹＥＳ）、メモリ３内の変化点情報一時記憶領域に当該変化点の検出時刻（絶対時刻）を記憶する（ステップＳ１４）。次に、今回検出された変化点近傍の音声信号の周波数領域における特徴量（この例ではＭＦＣＣ）に基づいて、変化点近傍が楽曲であるか否かを判別する（ステップＳ１５）。変化点近傍が楽曲であると判別した場合には、ステップＳ１３に戻る。      
【００４６】
上記ステップＳ１５において、変化点近傍が楽曲でないと判別した場合には、楽曲が終了したと判断し、現在時刻を楽曲終了時刻Ｔｅとして記憶するとともに（ステップＳ１６）、現時点では現在時刻よりもＴ１秒前の楽曲が記録されているため、第２タイマによる計時を開始させる（ステップＳ１７）。
【００４７】
そして、メモリ９内の変化点情報一時記憶領域に記憶されている変化点検出時刻情報のうち、楽曲開始時刻Ｔｓから楽曲終了時刻Ｔｅまでの間の各変化点検出時刻情報に基づいて、それらの各変化点の位置からなる変化点位置情報とそれらの変化点総数からなる変化点数情報とを生成し、得られた変化点に関する情報を現在記録している楽曲コンテンツに対するコンテンツ識別用データとして記録媒体５に記録する（ステップＳ１８）。コンテンツ識別用データは、今回、記録媒体５に記録された楽曲コンテンツのインデックス情報の一部として記録媒体５に記録される。楽曲コンテンツのインデックス情報には、楽曲の記録日時、楽曲の時間長、コンテンツ識別情報、当該楽曲コンテンツの記憶場所（記憶アドレス）等が含まれる。
【００４８】
この後、第２タイマによる計時時間（Timer2) がＴ１秒に到達すると（ステップＳ１９）、音声信号のエンコードおよび記録媒体５への音声信号の保存を停止させる（ステップＳ２０）。そして、ステップＳ３に戻る。
【００４９】
〔３〕第２楽曲記録処理
【００５０】
第２楽曲記録処理においては、受信した音声信号からユーザが記録したい楽曲部分のみを抽出して記録する。
【００５１】
第２楽曲記録処理を行なうにあたっては、ユーザは記録したい楽曲のコンテンツ識別用データを、記憶媒体５内の記録対象楽曲指定用テーブルに登録しておく必要がある。つまり、サーバ２０のデータベース２０ａから、ユーザが記録したい楽曲の楽曲情報（コンテンツ識別用データおよびメタ情報）を取得して、記録対象楽曲指定用テーブルに登録する。なお、この際、サーバ２０に対して、楽曲のタイトルを指定することにより、指定したタイトルに対応した楽曲の楽曲情報を取得することもできるし、アーティストを指定することにより、指定したアーティストに対応する楽曲の楽曲情報を取得することもできる。さらに、ジャンルを指定することにより、指定したジャンルに属する楽曲の楽曲情報を取得することもできる。
【００５２】
図４は、記録対象楽曲指定用テーブルの内容例を示している。図４は、ジャンルの種類としてロックを指定することにより、ロックに属する楽曲のコンテンツ識別用データおよびメタ情報を取得して、記録対象テーブルに登録した例を示している。
【００５３】
このように記録対象楽曲指定用テーブルにユーザが記録したい楽曲のコンテンツ識別用データ等を登録した後に、第２楽曲記録処理を開始させる。第２の楽曲記録モードによる楽曲記録処理では、まず、第１楽曲記録処理と同様な処理により、受信した音声信号から楽曲部分が抽出される。ただし、第２楽曲記録処理では、抽出された楽曲コンテンツは、直ちに記録媒体５に記録されるのではなく、メモリ９の所定の領域（以下、楽曲コンテンツ一時記憶領域という）に記憶される。また、第２楽曲記録処理では、第１楽曲記録処理のステップＳ１８で生成したコンテンツ識別用データを直ちに記録媒体５に記録するのではなく、メモリ９に一時的に記憶する。なお、メモリ９内の楽曲コンテンツ一時記憶領域に楽曲コンテンツを一時的に記憶させる代わりに、記憶媒体５内の所定領域に楽曲コンテンツを一時的に記憶させるための楽曲コンテンツ一時記憶領域を設け、記憶媒体５内の楽曲コンテンツ一時記憶領域に楽曲コンテンツを一時的に記憶させるようにしてもよい。
【００５４】
１曲分の楽曲コンテンツのメモリ９内の楽曲コンテンツ一時記憶領域への記憶が終了すると、メモリ９に一時的に記憶した当該楽曲コンテンツのコンテンツ識別用データと、記録対象楽曲指定用テーブルに登録されている記録対象楽曲のコンテンツ識別用データとに基づいて、当該楽曲コンテンツが記録対象楽曲に対応するコンテンツであるか否かを判別する。そして、当該楽曲コンテンツが記録対象楽曲に対応するコンテンツであると判別された場合には、メモリ９内の楽曲コンテンツ一時記憶領域に記憶されている当該楽曲コンテンツを記録媒体５に記録させるとともに、当該楽曲コンテンツのコンテンツ識別用データを当該楽曲コンテンツのインデックス情報の一部として記録媒体５に記録させる。
【００５５】
図５は、第２楽曲記録処理手順を示している。
【００５６】
図５のステップＳ１０１〜Ｓ１２０のそれぞれは、図３のステップＳ１〜Ｓ２０と対応しており、以下の点を除いては対応するステップの内容は同じである。
【００５７】
図３のステップＳ１２では、楽曲コンテンツに対応する音声信号を記録媒体５に保存させるようにしているが、図５のステップＳ１１２では、楽曲コンテンツに対応する音声信号をメモリ内の楽曲コンテンツ一時記憶領域に保存させるようにしている。したがって、図５のステップＳ１２０では、メモリ内の楽曲コンテンツ一時記憶領域への保存が停止せしめられる。
【００５８】
また、図３のステップＳ１８では、変化点位置情報と変化点数情報とからなるコンテンツ識別情報を生成し、生成したコンテンツ識別情報を記録媒体５に記録しているが、図５のステップＳ１１８では、生成したコンテンツ識別情報をメモリ９に一時的に記憶している。
【００５９】
したがって、ステップＳ１２０の処理が終了した時点では、今回放送から取得した楽曲コンテンツはメモリ内の楽曲コンテンツ一時記憶領域に保存され、その楽曲コンテンツのコンテンツ識別用データはメモリ９に一時的に記憶されている。
【００６０】
ステップＳ１２０の処理が終了すると、つまり、１曲分の楽曲コンテンツのメモリ９内の楽曲コンテンツ一時記憶領域への記憶が終了すると、記録対象楽曲指定用テーブルから１つの記録対象楽曲を選択し、選択した記録対象楽曲のコンテンツ識別用データを抽出する（ステップＳ１２１）。
【００６１】
そして、今回放送から取得した楽曲コンテンツのコンテンツ識別用データと、現在選択されている記録対象楽曲のコンテンツ識別用データとに基づいて、今回放送から取得した楽曲コンテンツが現在選択されている記録対象楽曲のコンテンツと一致するか否かを判別する（ステップＳ１２２）。この一致判定処理の詳細については、後述する。
【００６２】
ステップＳ１２２において、両楽曲コンテンツが一致しないと判別した場合には、記録対象楽曲指定用テーブルに未だ選択されていない記録対象楽曲が存在するか否かを判別する（ステップＳ１２３）。記録対象楽曲指定用テーブルに未だ選択されていない記録対象楽曲が存在する場合には、未だ選択されていない記録対象楽曲から１つの記録対象楽曲を選択し、選択した記録対象楽曲のコンテンツ識別用データを抽出する（ステップＳ１２４）。そして、ステップＳ１２２に戻る。
【００６３】
ステップＳ１２２において、両楽曲コンテンツが一致すると判別した場合には、今回放送から取得した楽曲コンテンツは記録対象楽曲のコンテンツであるので、今回放送から取得した楽曲コンテンツおよびそのコンテンツ識別用データを記録媒体５に記録する（ステップＳ１２５）。なお、コンテンツ識別用データは、今回放送から取得した楽曲コンテンツのインデックス情報の一部として記録媒体５に記録される。そして、ステップＳ１０３に戻る。
【００６４】
ステップＳ１２３において、記録対象楽曲指定用テーブルに未だ選択されていない記録対象楽曲が存在しないと判別した場合には、今回放送から取得した楽曲コンテンツは記録対象楽曲のコンテンツではないので、今回放送から取得した楽曲コンテンツを記録媒体５に記録することなく、ステップＳ１０３に戻る。
【００６５】
図６は、図５のステップＳ１２２で行なわれる一致判定処理の手順を示している。
【００６６】
ここでは、今回放送から取得した楽曲コンテンツを第１の楽曲コンテンツと呼び、第１の楽曲コンテンツと比較される楽曲のコンテンツを第２の楽曲コンテンツと呼ぶことにする。第１の楽曲コンテンツの各変化点の位置をＴ１，Ｔ２，…，ＴＮとし、第２の楽曲コンテンツの変化点の位置をＳ１，Ｓ２，…，ＳＭとする。Ｎは第１の楽曲コンテンツの変化点の総数と同じ整数であり、Ｍは第２の楽曲コンテンツの変化点の総数と同じ整数である。
【００６７】
まず、第１の楽曲コンテンツに対応する複数の変化点の１つを指定するための変数ｎを１に設定する（ステップＳ３１）。また、第２の楽曲コンテンツに対応する複数の変化点の１つを指定するための変数ｍを１に設定する（ステップＳ３２）。
【００６８】
そして、｜｛Ｔ（ｎ＋１）−Ｔｎ｝−｛Ｓ（ｍ＋１）−Ｓｍ｝｜が所定値σより小さいか否かを判別する（ステップＳ３３）。つまり、第１の楽曲コンテンツにおける変化点Ｔｎから変化点Ｔ（ｎ＋１）までの距離（時間）と、第２の楽曲コンテンツにおける変化点Ｓｍから変化点Ｓ（ｍ＋１）までの距離（時間）との差の絶対値が、σより小さいか否かを判別する。
【００６９】
ステップＳ３３において、｜｛Ｔ（ｎ＋１）−Ｔｎ｝−｛Ｓ（ｍ＋１）−Ｓｍ｝｜が所定値σより小さいと判別した場合には、ｎが（Ｎ−１）未満でかつｍが（Ｍ−１）未満であるという条件を満たしているか否かを判別する（ステップＳ３８）。ｎが（Ｎ−１）未満でかつｍが（Ｍ−１）未満であるという条件を満たしている場合には、ｎを１だけインクリメントするとともに、ｍを１だけインクリメントした後（ステップＳ３９）、｜｛Ｔ（ｎ＋１）−Ｔｎ｝−｛Ｓ（ｍ＋１）−Ｓｍ｝｜が所定値σより小さいか否かを判別する（ステップＳ４０）。ステップＳ４０において、｜｛Ｔ（ｎ＋１）−Ｔｎ｝−｛Ｓ（ｍ＋１）−Ｓｍ｝｜が所定値σより小さいと判別した場合には、ステップＳ３８に戻る。
【００７０】
上記ステップＳ３８において、ｎが（Ｎ−１）未満でかつｍが（Ｍ−１）未満であるという条件を満たしていない場合には、つまり、ｎが（Ｎ−１）以上であるかまたはｍが（Ｍ−１）以上である場合には、第２の楽曲コンテンツは第１の楽曲コンテンツと同一曲であると判定する（ステップＳ４２）。上記ステップＳ４０において、｜｛Ｔ（ｎ＋１）−Ｔｎ｝−｛Ｓ（ｍ＋１）−Ｓｍ｝｜が所定値σ以上であると判別した場合には、第２の楽曲コンテンツは第１の楽曲コンテンツと同一曲ではないと判定する（ステップＳ４１）。      
【００７１】
上記ステップＳ３３において、｜｛Ｔ（ｎ＋１）−Ｔｎ｝−｛Ｓ（ｍ＋１）−Ｓｍ｝｜が所定値σ以上であると判別した場合には、ｍを１だけインクリメントした後（ステップＳ３４）、ｍがＭ以上であるか否かを判別する（ステップＳ３５）。
【００７２】
ｍがＭ以上でなければ、つまり、ｍがＭ未満であれば、ステップＳ３３に戻り、再度、｜｛Ｔ（ｎ＋１）−Ｔｎ｝−｛Ｓ（ｍ＋１）−Ｓｍ｝｜が所定値σより小さいか否かを判別する。
【００７３】
ステップＳ３５において、ｍがＭ以上であると判別した場合には、ｎを１だけインクリメントした後（ステップＳ３６）、ｎがＮ以上であるか否かを判別する（ステップＳ３７）。ｎがＮ以上でなければ、つまり、ｎがＮ未満であれば、ステップＳ３２に戻り、ｍ＝１とした後、再度、｜｛Ｔ（ｎ＋１）−Ｔｎ｝−｛Ｓ（ｍ＋１）−Ｓｍ｝｜が所定値σより小さいか否かを判別する。
【００７４】
ステップＳ３７において、ｎがＮ以上であると判別した場合には、第２の楽曲コンテンツは第１の楽曲コンテンツと同一曲ではないと判定する（ステップＳ４１）。
【００７５】
例えば、第１の楽曲コンテンツの各変化点の位置Ｔ１，Ｔ２，…，ＴＮおよび第２の楽曲コンテンツの各変化点の位置Ｓ１，Ｓ２，…，ＳＭが図７に示すような位置にある場合について説明する。この場合、Ｎ＝５，Ｍ＝４である。
【００７６】
まず、ｎ＝ｍ＝１とされ、ステップＳ３３では、｜（Ｔ２−Ｔ１）−（Ｓ２−Ｓ１）｜が所定値σより小さいか否かが判別される。つまり、図７の例では、第１の楽曲コンテンツのセグメント１の長さと第２の楽曲コンテンツのセグメント１の長さがほぼ等しいか否かが判別される。図７の例では、両者の長さは異なっているので、｜（Ｔ２−Ｔ１）−（Ｓ２−Ｓ１）｜が所定値σ以上であると判別される。
【００７７】
そこで、ステップＳ３４においてｍ＝２とされた後、ステップＳ３３に戻り、｜（Ｔ２−Ｔ１）−（Ｓ３−Ｓ２）｜が所定値σより小さいか否かが判別される。つまり、図７の例では、第１の楽曲コンテンツのセグメント１の長さと第２の楽曲コンテンツのセグメント２の長さがほぼ等しいか否かが判別される。図７の例では、両者の長さは異なっているので、｜（Ｔ２−Ｔ１）−（Ｓ３−Ｓ２）｜が所定値σ以上であると判別される。
【００７８】
そこで、ステップＳ３４においてｍ＝３とされた後、ステップＳ３３に戻り、｜（Ｔ２−Ｔ１）−（Ｓ４−Ｓ３）｜が所定値σより小さいか否かが判別される。つまり、図７の例では、第１の楽曲コンテンツのセグメント１の長さと第２の楽曲コンテンツのセグメント３の長さがほぼ等しいか否かが判別される。図７の例では、両者の長さは異なっているので、｜（Ｔ２−Ｔ１）−（Ｓ４−Ｓ３）｜が所定値σ以上であると判別される。
【００７９】
そこで、ステップＳ３６でｎ＝２とされ、ステップＳ３２でｍ＝１とされた後、ステップＳ３３に戻り、｜（Ｔ３−Ｔ２）−（Ｓ２−Ｓ１）｜が所定値σより小さいか否かが判別される。つまり、図７の例では、第１の楽曲コンテンツのセグメント２の長さと第２の楽曲コンテンツのセグメント１の長さがほぼ等しいか否かが判別される。図７の例では、両者の長さは等しいので、｜（Ｔ３−Ｔ２）−（Ｓ２−Ｓ１）｜が所定値σより小さいと判別される。したがって、ステップＳ３３でＹＥＳとなり、ステップＳ３８に移行する。      
【００８０】
ステップＳ３８では、ｎが（Ｎ−１）未満でかつｍが（Ｍ−１）未満であるという条件を満たしているか否かが判別される。この場合、（Ｎ−１）＝４、（Ｍ−１）＝３であるので、ｎ＝２＜（Ｍ−１）＝４であり、かつｍ＝１＜（Ｍ−１）＝３であるため、ステップＳ３９に移行し、ｎ＝３，ｍ＝２とされる。そして、ステップＳ４０において、｜（Ｔ４−Ｔ３）−（Ｓ３−Ｓ２）｜が所定値σより小さいか否かが判別される。つまり、図７の例では、第１の楽曲コンテンツのセグメント３の長さと第２の楽曲コンテンツのセグメント２の長さがほぼ等しいか否かが判別される。図７の例では、両者の長さは等しいので、｜（Ｔ４−Ｔ３）−（Ｓ３−Ｓ２）｜が所定値σより小さいと判別される。したがって、ステップＳ４０でＹＥＳとなり、ステップＳ３８に移行する。
【００８１】
ステップＳ３８では、ｎが（Ｎ−１）未満でかつｍが（Ｍ−１）未満であるという条件を満たしているか否かが判別される。この場合、ｎ＝３＜（Ｎ−１）＝４であり、かつｍ＝２＜（Ｍ−１）＝３であるため、ステップＳ３９に移行し、ｎ＝４，ｍ＝３とされる。そして、ステップＳ４０において、｜（Ｔ５−Ｔ４）−（Ｓ４−Ｓ３）｜が所定値σより小さいか否かが判別される。つまり、図７の例では、第１の楽曲コンテンツのセグメント４の長さと第２の楽曲コンテンツのセグメント３の長さがほぼ等しいか否かが判別される。図７の例では、両者の長さは等しいので、｜（Ｔ５−Ｔ４）−（Ｓ４−Ｓ３）｜が所定値σより小さいと判別される。したがって、ステップＳ４０でＹＥＳとなり、ステップＳ３８に移行する。
【００８２】
ステップＳ３８では、ｎが（Ｎ−１）未満でかつｍが（Ｍ−１）未満であるという条件を満たしているか否かが判別される。この場合、ｎ＝（Ｎ−１）＝４であり、かつｍ＝（Ｍ−１）＝３であるため、ステップＳ３８でＮＯとなり、第２の楽曲コンテンツは第１の楽曲コンテンツと同一曲であると判定される。
【００８３】
〔４〕楽曲再生処理
【００８４】
図８は、楽曲再生処理手順を示している。
【００８５】
ユーザによって再生したい楽曲が選曲された後に通常再生指示が入力されると、記録媒体５から選曲された楽曲データを読み出していく（ステップＳ５１）。記録媒体５から読み出された楽曲データをＤＳＰ４によってデコードさせ、Ｄ／Ａ変換部６を介してスピーカ７に音声信号を出力させる（ステップＳ５２）。これにより、ユーザによって選択された楽曲が再生される。
【００８６】
楽曲再生中においては、再生停止指示が入力されたか否かが監視される。楽曲再生中において、再生停止指示が入力されると（ステップＳ５３でＹＥＳ）、記録媒体５からの楽曲データの読み出し処理およびＤＳＰ４によるデコード処理を停止させる（ステップＳ５４）。
【００８７】
〔５〕楽曲自動消去処理
【００８８】
楽曲自動消去処理においては、記録媒体５に記録されている楽曲コンテンツのうち、ユーザが消去したい楽曲コンテンツを自動的に削除する。
【００８９】
楽曲自動消去処理を行なうにあたっては、ユーザは消去したい楽曲のコンテンツ識別用データを、記録媒体５内の消去対象楽曲指定用テーブルに登録しておく必要がある。つまり、サーバ２０のデータベース２０ａから、ユーザが消去したい楽曲の楽曲情報（コンテンツ識別用データおよびメタ情報）を取得して、消去対象楽曲指定用テーブルに登録する。なお、この際、サーバ２０に対して、楽曲のタイトルを指定することにより、指定したタイトルに対応した楽曲の楽曲情報を取得することもできるし、アーティストを指定することにより、指定したアーティストに対応する楽曲の楽曲情報を取得することもできる。さらに、ジャンルを指定することにより、指定したジャンルに属する楽曲の楽曲情報を取得することもできる。
【００９０】
図９は、消去対象楽曲テーブルの内容例を示している。図９は、ジャンルの種類として演歌を指定することにより、演歌に属する楽曲のコンテンツ識別用データおよびメタ情報を取得して、消去対象楽曲テーブルに登録した例を示している。
【００９１】
このように消去対象楽曲テーブルにユーザが消去させたい楽曲のコンテンツ識別用データ等を登録した後に、楽曲自動消去処理を開始させる。
【００９２】
図１０は、楽曲自動消去処理手順を示している。
【００９３】
まず、記録媒体５にコンテンツが記録されている楽曲の中から１つの楽曲を第１楽曲として選択し、選択した第１楽曲のコンテンツ識別用データを記録媒体５から抽出する（ステップＳ６１）。
【００９４】
消去対象楽曲指定用テーブルに登録されている消去対象楽曲の中から１つの消去対象楽曲を、現在選択されている第１楽曲の比較対象となる第２楽曲として選択し、選択した第２楽曲のコンテンツ識別用データを消去対象楽曲指定用テーブルから抽出する（ステップＳ６２）。
【００９５】
第１楽曲のコンテンツ識別用データと第２楽曲のコンテンツ識別用データとに基づいて、第１楽曲のコンテンツが第２楽曲のコンテンツと一致するか否かを判別する（ステップＳ６３）。この一致判定処理は、図６で説明した一致判定処理と同様であるので、その説明を省略する。
【００９６】
ステップＳ６３において、両楽曲のコンテンツが一致しないと判別した場合には、消去対象楽曲指定用テーブル内に、現在選択されている第１楽曲の比較対象として選択されていない楽曲が存在するか否かを判別する（ステップＳ６４）。
【００９７】
消去対象楽曲指定用テーブル内に、現在選択されている第１楽曲の比較対象として選択されていない楽曲が存在する場合には、現在選択されている第１楽曲の比較対象として選択されていない楽曲から１つの楽曲を第２楽曲として選択し、選択した第２楽曲のコンテンツ識別用データを消去対象楽曲指定用テーブルから抽出する（ステップＳ６５）。そして、ステップＳ６３に移行する。
【００９８】
ステップＳ６３において、両楽曲のコンテンツが一致すると判別した場合には、記録媒体５から第１楽曲のコンテンツおよびそのインデックス情報を消去（削除）する（ステップＳ６６）。そして、ステップＳ６７に移行する。
【００９９】
ステップＳ６４において、消去対象楽曲指定用テーブル内に、現在選択されている第１楽曲の比較対象として選択されていない楽曲が存在しないと判別した場合には、ステップＳ６７に移行する。
【０１００】
ステップＳ６７では、記録媒体５内に未だ選択されていない楽曲が存在するか否かを判別する。記録媒体５内に未だ選択されていない楽曲が存在する場合には、未だ選択されていない楽曲から１つの楽曲を第１楽曲として選択し、選択した第１楽曲のコンテンツ識別用データを記録媒体５から抽出する（ステップＳ６８）。そして、ステップＳ６２に戻る。
【０１０１】
ステップＳ６７において、記録媒体５内に未だ選択されていない楽曲が存在しないと判別した場合には、今回の楽曲自動消去処理を終了する。
【０１０２】
〔６〕変形例
【０１０３】
第１楽曲記録処理の変形例について説明する。第１楽曲記録処理の変形例を、第３楽曲記録処理ということにする。
【０１０４】
第３楽曲記録処理においても、第１楽曲記録処理と同様に、受信した音声信号から楽曲部分のみを抽出して記録する。第３楽曲記録処理においては、１曲分の楽曲コンテンツの記録媒体５への記憶およびそのコンテンツ識別用データの記録媒体５への記憶が終了すると、サーバ２０内の楽曲情報データベース２０ａを利用して、今回放送から取得した楽曲コンテンツに対応するメタ情報を取得するための処理（メタ情報取得処理）を実行する。このメタ情報取得処理によって、今回放送から取得した楽曲コンテンツに対応するメタ情報を取得できた場合には、記録媒体５に、取得したメタ情報を当該楽曲コンテンツのインデックス情報に追加する。
【０１０５】
したがって、記録媒体５に記録された楽曲コンテンツに対するインデックス情報に、メタ情報が追加されるので、記録媒体５に記録された楽曲コンテンツに対するメタ情報を表示させることが可能となる。例えば、記録媒体５に記録された楽曲コンテンツをリスト表示する際に、楽曲コンテンツのメタ情報を表示させることが可能となる。このため、記録媒体５に記録された楽曲コンテンツの管理や整理が容易となる。
【０１０６】
図１１は、第３楽曲記録処理手順を示している。
【０１０７】
図１１のステップＳ１〜Ｓ２０のそれぞれは、図３のステップＳ１〜Ｓ２０と同じであるので、その説明を省略する。
【０１０８】
ステップＳ２０の処理が終了すると、つまり、１曲分の楽曲コンテンツの記録媒体５への記録が終了すると、サーバ２０内の楽曲情報データベース２０ａと接続し、楽曲情報データベース２０ａから１つの楽曲を選択し、選択した楽曲のコンテンツ識別用データを楽曲情報データベース２０ａから抽出する（ステップＳ２１）。
【０１０９】
そして、今回放送から取得した楽曲コンテンツのコンテンツ識別用データと、現在選択されている楽曲のコンテンツ識別用データとに基づいて、今回放送から取得した楽曲コンテンツが現在選択されている楽曲のコンテンツと一致するか否かを判別する（ステップＳ２２）。この一致判定処理は、図６で説明した一致判定処理と同様であるので、その説明を省略する。
【０１１０】
ステップＳ２２において、両楽曲コンテンツが一致しないと判別した場合には、楽曲情報データベース２０ａに未だ選択されていない楽曲が存在するか否かを判別する（ステップＳ２３）。楽曲情報データベース２０ａに未だ選択されていない楽曲が存在する場合には、未だ選択されていない楽曲から１つの楽曲を選択し、選択した楽曲のコンテンツ識別用データを抽出する（ステップＳ２４）。そして、ステップＳ２２に戻る。
【０１１１】
ステップＳ２２において、両楽曲コンテンツが一致すると判別した場合には、現在選択している楽曲のメタ情報（タイトル、アーティストおよびジャンル）を楽曲情報データベース２０ａから取得して、今回放送から取得した楽曲コンテンツのインデックス情報に追加する（ステップＳ２５）。そして、ステップＳ３に戻る。
【０１１２】
上記ステップＳ２３において、楽曲情報データベース２０ａに未だ選択されていない楽曲が存在しないと判別した場合には、ステップＳ３に戻る。この場合には、今回放送から取得した楽曲コンテンツに対するメタ情報を取得できかったので、そのインデックス情報にメタ情報は追加されない。
【０１１３】
上記第３の楽曲記録処理では、楽曲記録再生装置側で、楽曲情報データベース２０ａから今回放送から取得した楽曲コンテンツに対応するメタ情報を検索して取得しているが、楽曲情報提供サーバ２０側に今回放送から取得した楽曲コンテンツに対応するメタ情報を検索させ、見つかったメタ情報を楽曲記録再生装置側に送信させるようにしてもよい。
【０１１４】
つまり、ステップＳ２０の処理が終了したときに、楽曲記録再生装置のＣＰＵ１０は、今回放送から取得した楽曲コンテンツに対応するメタ情報を要求するコマンドとともに、今回放送から取得した楽曲コンテンツのコンテンツ識別用データを楽曲情報提供サーバ２０に送る。楽曲情報提供サーバ２０は、これらの情報を受信すると、上記ステップＳ２１〜Ｓ２４で説明したような検索処理を行なって、受信した楽曲コンテンツのコンテンツ識別用データに対応する楽曲のメタ情報を楽曲情報データベース２０ａから検索して、楽曲記録再生装置のＣＰＵ１０に送信する。楽曲記録再生装置のＣＰＵ１０は、楽曲情報提供うサーバ２０から送られてきたメタ情報を今回放送から取得した楽曲コンテンツのインデックス情報に追加する。そして、ステップＳ３に戻る。
【０１１５】
楽曲情報提供サーバ２０内の楽曲情報データベース２０ａに蓄積されている楽曲情報と同様な情報を、楽曲記録再生装置の記録媒体５内の所定領域（以下、楽曲情報蓄積領域という）に蓄積するようにしてもよい。楽曲情報を記録媒体５に蓄積する方法としては、楽曲情報が記録されたＣＤ等のリムーバブルディスクを用いて記録媒体５に楽曲情報を蓄積したり、楽曲情報提供サーバ２０から楽曲情報をダウンロードして記録媒体５に蓄積したりするといった方法がある。楽曲情報データベース２０ａに蓄積されている楽曲情報と同様な情報が記録媒体５内の楽曲情報蓄積領域に蓄積されている場合には、図１１のステップＳ２１〜Ｓ２５における”楽曲情報データベース２０ａ”は、”記憶媒体５内の楽曲情報蓄積領域”に置き換えられる。
【図面の簡単な説明】
【０１１６】
【図１】楽曲記録再生装置の構成を示すブロック図である。
【図２】楽曲情報データべース２０ａの内容の一部を示す模式図である。
【図３】第１楽曲記録処理手順を示すフローチャートである。
【図４】記録対象楽曲指定用テーブルの内容例を示す模式図である。
【図５】第２楽曲記録処理手順を示すフローチャートである。
【図６】図５のステップＳ１２２で行なわれる一致判定処理の手順を示すフローチャートである。
【図７】一致判定処理の具体的に説明するための模式図である。
【図８】楽曲再生処理手順を示すフローチャートである。
【図９】消去対象楽曲テーブルの内容例を示す模式図である。
【図１０】楽曲自動消去処理手順を示すフローチャートである。
【図１１】第３楽曲記録処理手順を示すフローチャートである。
【符号の説明】
【０１１７】
１  アンテナ
２  ＦＭチューナ部
３  Ａ／Ｄ変換部
４  ＤＳＰ
５  記録媒体
６  Ｄ／Ａ変換部
７  スピーカ
８  ネットワークＩ／Ｆ
９  メモリ
１０  ＣＰＵ
１１  操作部
１２  モニタ
２０  楽曲情報提供サーバ
２０ａ  楽曲情報データべース
【図１】
0004717040.tif 000002
【図２】
0004717040.tif 000003
【図３】
0004717040.tif 000004
【図４】
0004717040.tif 000005
【図５】
0004717040.tif 000006
【図６】
0004717040.tif 000007
【図７】
0004717040.tif 000008
【図８】
0004717040.tif 000009
【図９】
0004717040.tif 000010
【図１０】
0004717040.tif 000011
【図１１】
0004717040.tif 000012